【手続補正書】
【提出日】平成16年11月1日(2004.11.1)
【手続補正１】
【補正対象書類名】明細書
【補正対象項目名】請求項１
【補正方法】変更
【補正の内容】
【請求項１】
ユーザの操作入力を受ける入力手段と、
前記入力手段により入力された前記ユーザの操作に基づいて、他の情報処理装置が有する所定のデータの送信を要求する第１のリクエスト信号または第２のリクエスト信号を生成する生成手段と、
前記生成手段により生成された前記第１のリクエスト信号もしくは前記第２のリクエスト信号を前記他の情報処理装置へ送信する送信手段と、
前記他の情報処理装置から送信された前記所定のデータを受信する受信手段と、
前記受信手段により受信された前記所定のデータを再生する再生手段と
を備え、
前記第１のリクエスト信号は、前記所定のデータのうちの一部の送信を要求するものであり、
前記第２のリクエスト信号は、前記所定のデータの全体の送信を要求するものである
ことを特徴とする情報処理装置。
【手続補正２】
【補正対象書類名】明細書
【補正対象項目名】請求項５
【補正方法】変更
【補正の内容】
【請求項５】
ユーザの操作の入力を制御する入力制御ステップと、
前記入力制御ステップの処理により入力が制御された前記ユーザの操作に基づいて、他の情報処理装置が有する所定のデータの送信を要求する第１のリクエスト信号または第２のリクエスト信号を生成する生成ステップと、
前記生成ステップの処理により生成された前記第１のリクエスト信号もしくは前記第２のリクエスト信号を前記他の情報処理装置へ送信する送信ステップと、
前記他の情報処理装置から送信された前記所定のデータを受信する受信ステップと、
前記受信ステップの処理により受信された前記所定のデータを再生する再生ステップと
を含み、
前記第１のリクエスト信号は、前記所定のデータのうちの一部の送信を要求するものであり、
前記第２のリクエスト信号は、前記所定のデータの全体の送信を要求するものである
ことを特徴とする情報処理方法。
【手続補正３】
【補正対象書類名】明細書
【補正対象項目名】請求項６
【補正方法】変更
【補正の内容】
【請求項６】
ユーザの操作の入力を制御する入力制御ステップと、
前記入力制御ステップの処理により入力が制御された前記ユーザの操作に基づいて、他の情報処理装置が有する所定のデータの送信を要求する第１のリクエスト信号または第２のリクエスト信号を生成する生成ステップと、
前記生成ステップの処理により生成された前記第１のリクエスト信号もしくは前記第２のリクエスト信号を前記他の情報処理装置へ送信する送信ステップと、
前記他の情報処理装置から送信された前記所定のデータを受信する受信ステップと、
前記受信ステップの処理により受信された前記所定のデータを再生する再生ステップと
を含み、
前記第１のリクエスト信号は、前記所定のデータのうちの一部の送信を要求するものであり、
前記第２のリクエスト信号は、前記所定のデータの全体の送信を要求するものである
ことを特徴とする処理をコンピュータに実行させるプログラム。
【手続補正４】
【補正対象書類名】明細書
【補正対象項目名】請求項１２
【補正方法】変更
【補正の内容】
【請求項１２】
所定のデータを記録する第１の情報処理装置と、
前記所定のデータを受信して再生する第２の情報処理装置と
で構成される情報処理システムにおいて、
前記第１の情報処理装置は、
前記第２の情報処理装置から第１のリクエスト信号、もしくは第２のリクエスト信号を受信する第１の受信手段と、
前記所定のデータを記録する記録手段と、
前記第１の受信手段により受信された信号が、前記第１のリクエスト信号であるか、前記第２のリクエスト信号であるかに基づいて、前記記録手段により記録されている前記所定のデータのうちの一部、もしくは全体を、前記第２の情報処理装置に選択的に送信する第１の送信手段と
を備え、
前記第２の情報処理装置は、
ユーザの操作入力を受ける入力手段と、
前記入力手段により入力された前記ユーザの操作に基づいて、前記第１の情報処理装置の前記記録手段に記録されている前記所定のデータの送信を要求する第１のリクエスト信号または第２のリクエスト信号を生成する生成手段と、
前記生成手段により生成された前記第１のリクエスト信号もしくは前記第２のリクエスト信号を前記第1の情報処理装置に送信する第２の送信手段と、
前記他の情報処理装置から送信された前記所定のデータを受信する第２の受信手段と、
前記第２の受信手段により受信された前記所定のデータを再生する再生手段と
を備え、
前記第１のリクエスト信号は、前記所定のデータのうちの一部の送信を要求するものであり、
前記第２のリクエスト信号は、前記所定のデータの全体の送信を要求するものである
ことを特徴とする情報処理システム。
【手続補正５】
【補正対象書類名】明細書
【補正対象項目名】００１５
【補正方法】変更
【補正の内容】
【００１５】
【課題を解決するための手段】
本発明の第1の情報処理装置は、ユーザの操作入力を受ける入力手段と、入力手段により入力されたユーザの操作に基づいて、他の情報処理装置が有する所定のデータの送信を要求する第１のリクエスト信号または第２のリクエスト信号を生成する生成手段と、生成手段により生成された第１のリクエスト信号もしくは第２のリクエスト信号を他の情報処理装置へ送信する送信手段と、他の情報処理装置から送信された所定のデータを受信する受信手段と、受信手段により受信された所定のデータを再生する再生手段とを備え、第１のリクエスト信号は、所定のデータのうちの一部の送信を要求するものであり、第２のリクエスト信号は、所定のデータの全体の送信を要求するものであることを特徴とする。
【手続補正６】
【補正対象書類名】明細書
【補正対象項目名】００１９
【補正方法】変更
【補正の内容】
【００１９】
本発明の第１の情報処理方法は、ユーザの操作の入力を制御する入力制御ステップと、入力制御ステップの処理により入力が制御されたユーザの操作に基づいて、他の情報処理装置が有する所定のデータの送信を要求する第１のリクエスト信号または第２のリクエスト信号を生成する生成ステップと、生成ステップの処理により生成された第１のリクエスト信号もしくは第２のリクエスト信号を他の情報処理装置へ送信する送信ステップと、他の情報処理装置から送信された所定のデータを受信する受信ステップと、受信ステップの処理により受信された所定のデータを再生する再生ステップとを含み、第１のリクエスト信号は、所定のデータのうちの一部の送信を要求するものであり、第２のリクエスト信号は、所定のデータの全体の送信を要求するものであることを特徴とする。
【手続補正７】
【補正対象書類名】明細書
【補正対象項目名】００２０
【補正方法】変更
【補正の内容】
【００２０】
本発明の第１のプログラムは、ユーザの操作の入力を制御する入力制御ステップと、入力制御ステップの処理により入力が制御されたユーザの操作に基づいて、他の情報処理装置が有する所定のデータの送信を要求する第１のリクエスト信号または第２のリクエスト信号を生成する生成ステップと、生成ステップの処理により生成された第１のリクエスト信号もしくは第２のリクエスト信号を他の情報処理装置へ送信する送信ステップと、他の情報処理装置から送信された所定のデータを受信する受信ステップと、受信ステップの処理により受信された所定のデータを再生する再生ステップとを含み、第１のリクエスト信号は、所定のデータのうちの一部の送信を要求するものであり、第２のリクエスト信号は、所定のデータの全体の送信を要求するものであることを特徴とする。
【手続補正８】
【補正対象書類名】明細書
【補正対象項目名】００２６
【補正方法】変更
【補正の内容】
【００２６】
本発明の情報処理システムは、第１の情報処理装置が、第２の情報処理装置から第１のリクエスト信号、もしくは第２のリクエスト信号を受信する第１の受信手段と、所定のデータを記録する記録手段と、第１の受信手段により受信された信号が、第１のリクエスト信号であるか、第２のリクエスト信号であるかに基づいて、記録手段により記録されている所定のデータのうちの一部、もしくは全体を、第２の情報処理装置に選択的に送信する第１の送信手段とを備え、第２の情報処理装置は、ユーザの操作入力を受ける入力手段と、入力手段により入力されたユーザの操作に基づいて、第１の情報処理装置の記録手段に記録されている所定のデータの送信を要求する第１のリクエスト信号または第２のリクエスト信号を生成する生成手段と、生成手段により生成された第１のリクエスト信号もしくは第２のリクエスト信号を第1の情報処理装置に送信する第２の送信手段と、他の情報処理装置から送信された所定のデータを受信する第２の受信手段と、第２の受信手段により受信された所定のデータを再生する再生手段とを備え、第１のリクエスト信号は、所定のデータのうちの一部の送信を要求するものであり、第２のリクエスト信号は、所定のデータの全体の送信を要求するものであることを特徴とする。
【手続補正９】
【補正対象書類名】明細書
【補正対象項目名】００２８
【補正方法】変更
【補正の内容】
【００２８】
本発明の第１の情報処理装置、および情報処理方法、並びにプログラムにおいては、ユーザの操作が入力され、入力されたユーザの操作に基づいて、他の情報処理装置が有する所定のデータの送信を要求する第１のリクエスト信号または第２のリクエスト信号が生成され、生成された第１のリクエスト信号もしくは第２のリクエスト信号が他の情報処理装置へ送信され、他の情報処理装置から送信された所定のデータが受信され、受信された所定のデータが再生され、第１のリクエスト信号は、所定のデータのうちの一部の送信を要求するものであり、第２のリクエスト信号は、所定のデータの全体の送信を要求するものである。
【手続補正１０】
【補正対象書類名】明細書
【補正対象項目名】００３０
【補正方法】変更
【補正の内容】
【００３０】
本発明の情報処理システムにおいては、第１の情報処理装置で、第２の情報処理装置からの第１のリクエスト信号、もしくは第２のリクエスト信号が受信され、所定のデータが記録され、受信された信号が、第１のリクエスト信号であるか、第２のリクエスト信号であるかに基づいて、記録されている所定のデータのうちの一部、もしくは全体が、第２の情報処理装置に選択的に送信され、第２の情報処理装置で、ユーザの操作が入力され、入力されたユーザの操作に基づいて、第１の情報処理装置に記録されている所定のデータの送信を要求する第１のリクエスト信号または第２のリクエスト信号が生成され、生成された第１のリクエスト信号もしくは第２のリクエスト信号が第1の情報処理装置に送信され、他の情報処理装置から送信された所定のデータが受信され、受信された所定のデータが再生され、第１のリクエスト信号は、所定のデータのうちの一部の送信を要求するものであり、第２のリクエスト信号は、所定のデータの全体の送信を要求するものである。
【手続補正１１】
【補正対象書類名】明細書
【補正対象項目名】０２９６
【補正方法】変更
【補正の内容】
【０２９６】
【発明の効果】
本発明の第１の情報処理装置、および情報処理方法、並びにプログラムによれば、ユーザの操作入力を受け、入力されたユーザの操作に基づいて、他の情報処理装置が有する所定のデータの送信を要求する第１のリクエスト信号または第２のリクエスト信号を生成し、生成された第１のリクエスト信号もしくは第２のリクエスト信号を他の情報処理装置へ送信し、他の情報処理装置から送信された所定のデータを受信し、受信された所定のデータを再生し、第１のリクエスト信号は、所定のデータのうちの一部の送信を要求するものであり、第２のリクエスト信号は、所定のデータの全体の送信を要求するものであるとしたので、他の情報処理装置に記録されている、例えば楽曲データのいわゆるさびの部分のみを受信して再生させ、その楽曲が気に入ったときに、楽曲データ全体を受信して再生させるようにすることができる。
【手続補正１２】
【補正対象書類名】明細書
【補正対象項目名】０２９８
【補正方法】変更
【補正の内容】
【０２９８】
本発明の情報処理システムによれば、第１の情報処理装置で、第２の情報処理装置からの第１のリクエスト信号、もしくは第２のリクエスト信号を受信し、所定のデータを記録し、受信された信号が、第１のリクエスト信号であるか、第２のリクエスト信号であるかに基づいて、記録されている所定のデータのうちの一部、もしくは全体を、第２の情報処理装置に選択的に送信し、第２の情報処理装置で、ユーザの操作入力を受け、入力されたユーザの操作に基づいて、第１の情報処理装置に記録されている所定のデータの送信を要求する第１のリクエスト信号または第２のリクエスト信号を生成し、生成された第１のリクエスト信号もしくは第２のリクエスト信号を第1の情報処理装置に送信し、他の情報処理装置から送信された所定のデータを受信し、受信された所定のデータを再生し、第１のリクエスト信号は、所定のデータのうちの一部の送信を要求するものであり、第２のリクエスト信号は、所定のデータの全体の送信を要求するものであるとしたので、ユーザは、クライアント装置を用いて、サーバに記録されている、例えば楽曲データのいわゆるさびの部分のみを受信して再生させ、その楽曲が気に入ったときに、楽曲データ全体をサーバに要求し、楽曲データ全体を受信して再生させることができる。